(57)【要約】【課題】音と光との競演による演出を遊技機枠の前側に適切に提供する。【解決手段】スピーカ１５から前に放出された音は、矢印Ｘ１で示すように、ユニット容器１７の直接放音孔部１９および遊技機枠１の放音孔部８を経由して遊技機枠１の前に放出され、スピーカ１５から後に放出された音は、矢印Ｘ２で示すように、エンクロージャ１８からユニット容器１７の間接放音孔部２０および遊技機枠１の放音孔部８を経由して遊技機枠１の前に放出され、表示灯基板１６の表示灯２１から放出された光は、矢印Ｘ３で示すように、ユニット容器１７および遊技機枠１の光表示部１０を経由して遊技機枠１の前に放出されるので、音と光との競演による演出が遊技者に与えられる。【選択図】図１
2008212514.tif 000002
【特許請求の範囲】
【請求項１】
遊技機枠の前部には放音孔部および光表示部が設けられ、スピーカおよび表示灯基板をユニット容器で形成されたエンクロージャに収容した構造の音光ユニットが放音孔部および光表示部の後に配置されるように遊技機枠の前部に設けられ、ユニット容器の前部にはスピーカから前に放出された音を放出する直接放音孔部およびスピーカから後に放出された音を放出する間接放音孔部が設けられ、スピーカから前に放出された音がユニット容器の直接放音孔部および遊技機枠の放音孔部を経由して遊技機枠の前に放出され、スピーカから後に放出された音がエンクロージャからユニット容器の間接放音孔部および遊技機枠の放音孔部を経由して遊技機枠の前に放出され、表示灯基板に設けられた表示灯から放出された光がユニット容器および遊技機枠の光表示部を経由して遊技機枠の前に放出されることを特徴とする遊技音響装置。
【請求項２】
ユニット容器が前ユニット容器と後ユニット容器とから構成され、スピーカが前ユニット容器に取り付けられ、表示灯基板が後ユニット容器に取り付けられたことを特徴とする請求項１記載の遊技音響装置。
【発明の詳細な説明】
【技術分野】
【０００１】
本発明は、音と光との競演による演出が遊技機枠の前側に適切に提供される遊技音響装置に関する。
【背景技術】
【０００２】
遊技音響装置には、次のような構造のものが知られている。その１つは、遊技機枠の裏側にスピーカとエンクロージャとが一体になったスピーカ構造体を設け、エンクロージャの音をパイプで遊技機枠の前側に誘導して放出するようにした構造であるが、この場合、スピーカ構造体のほかにパイプが必要で、構造が複雑となるという欠点がある。もう１つは、前扉のガラスを振動板として利用した構造であるが、この場合、ガラスの共振周波数が数百ヘルツであるため、低音再生用として使用するには適切でないという欠点がある。さらにもう１つは、圧電式のスピーカを前扉のガラスに接触した構造であるが、この場合、ガラスの共振周波数が数百ヘルツであるため、低音再生用として使用するには適切でないという欠点がある。最後の１つは、圧電式のスピーカを前扉に貼り付けた構造であるが、この場合、ガラスの共振周波数が数百ヘルツであるため、低音再生用として使用するには適切でないという欠点がある。
【特許文献１】特開２００４−２２９１８３号公報
【特許文献２】特開平７−８６０１号公報
【特許文献３】特開平１０−２１６３２５号公報
【特許文献４】特開２００３−１３５８０４号公報
【発明の開示】
【発明が解決しようとする課題】
【０００３】
発明が解決しようとする問題点は、光と音とによる遊技の演出が遊技機枠の前側に適切に提供できないという点である。
【課題を解決するための手段】
【０００４】
本発明に係る遊技音響装置は、遊技機枠の前部には放音孔部および光表示部が設けられ、スピーカおよび表示灯基板をユニット容器で形成されたエンクロージャに収容した構造の音光ユニットが放音孔部および光表示部の後に配置されるように遊技機枠の前部に設けられ、ユニット容器の前部にはスピーカから前に放出された音を放出する直接放音孔部およびスピーカから後に放出された音を放出する間接放音孔部が設けられ、スピーカから前に放出された音がユニット容器の直接放音孔部および遊技機枠の放音孔部を経由して遊技機枠の前に放出され、スピーカから後に放出された音がエンクロージャからユニット容器の間接放音孔部および遊技機枠の放音孔部を経由して遊技機枠の前に放出され、表示灯基板に設けられた表示灯から放出された光がユニット容器および遊技機枠の光表示部を経由して遊技機枠の前に放出されることを最も主要な特徴とする。ユニット容器が前ユニット容器と後ユニット容器とから構成され、スピーカが前ユニット容器に取り付けられ、表示灯基板が後ユニット容器に取り付けられてもよい。
【発明の効果】
【０００５】
本発明に係る遊技音響装置は、スピーカおよび表示灯基板が音光ユニットのエンクロージャに収容されたので、エンクロージャの容量確保と表示灯基板の配置確保との両立が図れることができるうえ、スピーカから放出された全ての音が遊技機枠の放音孔部から前に放出され、表示灯から放出された光がユニット容器を全体的に鮮明しつつ遊技機枠の光表示部から前に放出されるので、音と光との競演による演出を遊技者に与えることができるという利点がある。ユニット容器が前ユニット容器と後ユニット容器とから構成され、スピーカが前ユニット容器に取り付けられ、表示灯基板が後ユニット容器に取り付けられれば、スピーカおよび表示灯基板が前ユニット容器または後ユニット容器のいずれかに集中的に取り付けられた場合に比べ、取付構造が簡単になるという利点がある。
【発明を実施するための最良の形態】
【０００６】
図１乃至図５は、発明を実施するための最良の形態である。図１は、遊技音響装置を縦に切断した断面を示す。図２は、遊技音響装置を備えたパチンコ遊技機の正面を示す。図３は、上扉４を分解して示す。図４は、音光ユニット１３を分解して示す。図５は、音光ユニット１４を分解して示す。本明細書において、「前」、「後」、「左」、「右」、「上」、「下」の方向は、図２の状態に遊技機枠を置いて図２の紙面の前から見た場合に特定される方向である。
【０００７】
遊技音響装置を備えた遊技機としてパチンコ遊技機を例として説明する。図２に示すように、遊技機枠１を前から見た場合、放音孔部８；９と光表示部１０；１１および音光ユニット１３；１４が左右に分かれて配置される。よって、図１のａ図では、左における放音孔部８と光表示部１０および音光ユニット１３を例示して説明し、図１のｂ図では、右における放音孔部９と光表示部１１および音光ユニット１４を例示して説明する。
【０００８】
図１のａ図において、遊技機枠１の前部を構成する部材としての上扉４の前部には、放音孔部８および光表示部１０が設けられ、音光ユニット１３が放音孔部８および光表示部１０の後に配置されるように上扉４の内部に設けられ、音光ユニット１３がスピーカ１５および表示灯基板１６をユニット容器１７の内部空間としてのエンクロージャ１８に収容した構造であるので、エンクロージャ１８の容量確保と表示灯基板１６の配置確保との両立を図ることができるという利点がある。
【０００９】
ユニット容器１７の前部には、直接放音孔部１９および間接放音孔部２０が設けられる。そして、スピーカ１５から前に放出された音は、矢印Ｘ１で示すように、ユニット容器１７の直接放音孔部１９および遊技機枠１の放音孔部８を経由して遊技機枠１の前に放出される。スピーカ１５から後に放出された音は、矢印Ｘ２で示すように、エンクロージャ１８からユニット容器１７の間接放音孔部２０および遊技機枠１の放音孔部８を経由して遊技機枠１の前に放出される。表示灯基板１６の表示灯２１から放出された光は、矢印Ｘ３で示すように、ユニット容器１７および遊技機枠１の光表示部１０を経由して遊技機枠１の前に放出される。よって、スピーカ１５から放出された全ての音が遊技機枠１の放音孔部８から前に放出され、表示灯基板１６の表示灯２１から放出された光がユニット容器１７を全体的に鮮明しつつ遊技機枠１の光表示部１０から前に放出されるので、音と光との競演による演出を遊技者に与えることができるという利点がある。
【００１０】
図１のｂ図において、遊技機枠１の前部を構成する部材としての上扉４の前部には、放音孔部９および光表示部１１が設けられ、音光ユニット１４が放音孔部９および光表示部１１の後に配置されるように上扉４の内部に設けられ、音光ユニット１４がスピーカ２２および表示灯基板２３をユニット容器２４の内部空間としてのエンクロージャ２５に収容した構造であるので、エンクロージャ２５の容量確保と表示灯基板２３の配置確保との両立を図ることができるという利点がある。
【００１１】
ユニット容器２４の前部には、直接放音孔部２６および間接放音孔部２７が設けられる。そして、スピーカ２２から前に放出された音は、矢印Ｘ４で示すように、ユニット容器２４の直接放音孔部２６および遊技機枠１の放音孔部９を経由して遊技機枠１の前に放出される。スピーカ２２から後に放出された音は、矢印Ｘ５で示すように、エンクロージャ２５からユニット容器２４の間接放音孔部２７および遊技機枠１の放音孔部９を経由して遊技機枠１の前に放出される。表示灯基板２３の表示灯２８から放出された光は、矢印Ｘ６で示すように、ユニット容器２４および遊技機枠１の光表示部１１を経由して遊技機枠１の前に放出される。よって、スピーカ２２から放出された全ての音が遊技機枠１の放音孔部９から前に放出され、表示灯基板２３の表示灯２８から放出された光がユニット容器２４を全体的に鮮明しつつ遊技機枠１の光表示部から前に放出されるので、音と光との競演による演出を遊技者に与えることができるという利点がある。
【００１２】
図１のａ図およびｂ図において、遊技盤Ａが可動枠３の盤設置構造体Ｂに装着され、上扉４が閉じられることによって、パネル構造体１２と遊技盤Ａの前面との間には球Ｐの流下する遊技領域ＣがガイドレールＤで囲まれた領域として形成される。ガイドレールＤは、遊技盤Ａまたはパネル構造体１２または上扉４に取り付けられる。音光ユニット１３の詳細な構造については、図４で説明する。音光ユニット１４の詳細な構造については、図５で説明する。
【００１３】
図２を参照し、パチンコ遊技機は、遊技機枠１の内部に遊技盤Ａを交換可能に格納した形態である。遊技機枠１は、固定枠２の前に可動枠３を開閉可能に備え、可動枠３の前に上扉４および下扉５を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、遊技盤Ａや図外の制御装置など遊技に必要な部品を取り付ける前枠とも呼ばれる。可動枠３は、左側に位置する図外のヒンジを中心とし、固定枠２の前で前側に開かれかつ後側に閉じられるように、片開き可能であって、遊技盤Ａを装着するための盤設置構造体Ｂ（図１参照）の前面に発射機構６を備える。発射機構６は、下扉５が閉じられて可動枠３に開閉不能に支持された場合、下扉５で覆い隠される。
【００１４】
上扉４および下扉５は、遊技機枠１の前部を構成する部材としての前扉を構成するものであって、個別に、左側に位置する図外のヒンジを中心とし、可動枠３の前で前側に開かれかつ後側に閉じられるように、片開き可能である。上扉４は、パネル枠とも呼ばれ、前後方向に貫通する窓７を囲む額縁形状である。上扉４の前部には、放音孔部８；９と光表示部１０；１１とが、上扉４の上部で、窓７を境として左右に分かれて設けられる。上扉４の後部には、パネル構造体１２が設けられる。パネル構造体１２は、遊技機枠１の前から内部を見えるように、窓７を後から閉鎖する。上扉４の内部には、音光ユニット１３；１４が設けられる。音光ユニット１３におけるスピーカ１５が放音孔部８の後に対応して配置され、音光ユニット１３における表示灯基板１６が光表示部１０の後に対応して配置される。音光ユニット１４におけるスピーカ２２が放音孔部９の後に対応して配置され、音光ユニット１４における表示灯基板２３が光表示部１１の後に対応して配置される。下扉５は、皿構造体とも呼ばれる。下扉５の前部には、受皿２９および発射操作機構３０が設けられる。
【００１５】
図３を参照し、上扉４の構造について説明する。上扉４は、扉化粧体３１および扉基盤３２を備える。扉化粧体３１は、上扉４における前面の意匠を形成するものであって、放音孔部８；９と光表示部１０；１１および前窓部３３を備える。放音孔部８；９は、扉化粧体３１に形成された前後方向への貫通孔を後から金属からなる網または金属板に多数の貫通孔の開けられたパンチングメタルなどにより構成された保護部材で被覆した構造である。光表示部１０；１１は、光を透過する性質のある合成樹脂からなり、後面にダイヤカットされたような凹凸を備える。
【００１６】
扉基盤３２は、上扉４における部品を取り付ける躯体を形成するものであって、後窓部３４および取付部３５；３６；３７を備える。取付部３５は、扉化粧体３１を取り付けるものであって、扉基盤３２の四隅に前後方向への貫通孔として設けられる。取付部３６は、左の音光ユニット１３を取り付けるものであって、扉基盤３２の前面から前に筒状に突出する。取付部３７は、右の音光ユニット１４を取り付けるものであって、扉基盤３２の前面から前に筒状に突出する。
【００１７】
そして、タッピングスクリューなどの止ねじ３８が音光ユニット１３の前から音光ユニット１３の取付部３９を貫通して取付部３６に締結されることによって、音光ユニット１３が扉基盤３２の前面に固定される。タッピングスクリューなどの止ねじ４０が音光ユニット１４の前から音光ユニット１４の取付部４１を貫通して取付部３７に締結されることによって、音光ユニット１４が扉基盤３２の前面に固定される。その後、タッピングスクリューのような止ねじ４２が扉基盤３２の後から取付部３５を経由して扉化粧体３１の裏面に締結される。これによって、扉化粧体３１および扉基盤３２が互いに組み立てられ、前窓部３３および後窓部３４が前後方向に繋がって図１および図２の窓７を構成する。したがって、扉化粧体３１が別の意匠を形成したものに交換されても、扉基盤３２が共用することができるという利点がある。
【００１８】
図４を参照し、左の音光ユニット１３について説明する。音光ユニット１３は、スピーカ１５、表示灯基板１６、前ユニット容器４５、後ユニット容器４６を備える。前ユニット容器４５は、光を透過する性質のある合成樹脂により、板状の前壁の周縁部から後側に周壁を突出し、後側に開口した箱形に構成される。後ユニット容器４６は、合成樹脂により、板状の後壁の周縁部から前側に周壁を突出し、前側に開口した箱形に構成される。後ユニット容器４６を構成する合成樹脂は、光を透過する性質が有っても無くてもよい。前ユニット容器４５には、直接放音孔部１９、間接放音孔部２０、結合部４７、スピーカ取付部４８、配線孔４９が設けられる。直接放音孔部１９および間接放音孔部２０は、前後方向への貫通孔として形成される。後ユニット容器４６には、取付部３９、結合部５０、基板取付部５１が設けられる。
【００１９】
スピーカ１５は、円錐形なコーン５２の後部に音響変換部５３を備え、コーン５２の前縁部から外側にフランジ５４を突出し、フランジ５４に複数のねじ挿入孔５５を備え、音響変換部５３が音響変換部５３から外側に突出した被覆電線からなるスピーカ配線５６から入力された音電流を機械的な振動に変換してコーン５２に伝達し、コーン５２が伝達された振動を中高音波として拡大して放出する。スピーカ配線５６にはコネクタ５７が設けられる。そして、コーン５２が前側に向けられ、タッピングスクリューなどの止ねじ５８がスピーカ１５の後からねじ挿入孔５５を経由してスピーカ取付部４８に締結されることによって、コーン５２が直接放音孔部１９を被覆し、スピーカ１５が前ユニット容器４５に固定される。間接放音孔部２０は、スピーカ１５で塞がれない。
【００２０】
表示灯基板１６には、ＬＥＤのような表示灯２１およびコネクタ５９が実装され、取付孔６０が前後方向への貫通孔として設けられる。コネクタ５９に接続されたコネクタ配線６１にはコネクタ６２が設けられる。そして、表示灯２１が前ユニット容器４５の側である前に向けられ、タッピングスクリューのような止ねじ６３が表示灯基板１６の前から取付孔６０を経由して基板取付部５１に締結されることによって、表示灯基板１６が後ユニット容器４６の前面に固定される。
【００２１】
前記のようにスピーカ１５が前ユニット容器４５に取り付けられ、表示灯基板１６が後ユニット容器４６に取り付けられ、スピーカ配線５６およびコネクタ配線６１が配線孔４９に通されつつ前ユニット容器４５の内側と外側とに配置された後、タッピングスクリューのような止ねじ６４が前ユニット容器４５の前から結合部４７を経由して結合部５０に締結されることによって、前ユニット容器４５および後ユニット容器４６が互いに内部空間としてのエンクロージャ１８（図１のａ図参照）を形成しつつ当該エンクロージャ１８にスピーカ１５および表示灯基板１６を収容した構造に組み立てられる。このようにユニット容器１７が前ユニット容器４５と後ユニット容器４６とから構成され、スピーカ１５が前ユニット容器４５に取り付けられ、表示灯基板１６が後ユニット容器４６に取り付けられたので、スピーカ１５および表示灯基板１６が前ユニット容器４５または後ユニット容器４６のいずれかに集中的に取り付けられた場合に比べ、取付構造が簡単になるという利点がある。
【００２２】
図５を参照し、音光ユニット１４について説明する。音光ユニット１４は、スピーカ２２、表示灯基板２３、前ユニット容器６５、後ユニット容器６６を備える。前ユニット容器６５は、光を透過する性質のある合成樹脂により、板状の前壁の周縁部から後側に周壁を突出し、後側に開口した箱形に構成される。後ユニット容器６６は、合成樹脂により、板状の後壁の周縁部から前側に周壁を突出し、前側に開口した箱形に構成される。後ユニット容器６６を構成する合成樹脂は、光を透過する性質が有っても無くてもよい。前ユニット容器６５には、直接放音孔部２６、間接放音孔部２７、結合部６７、スピーカ取付部６８、配線孔６９が設けられる。直接放音孔部２６および間接放音孔部２７は、前後方向への貫通孔として形成される。後ユニット容器６６には、取付部４１、結合部７０、基板取付部７１が設けられる。
【００２３】
スピーカ２２は、円錐形なコーン７２の後部に音響変換部７３を備え、コーン７２の前縁部から外側にフランジ７４を突出し、フランジ７４に複数のねじ挿入孔７５を備え、音響変換部７３が音響変換部７３から外側に突出した被覆電線からなるスピーカ配線７６から入力された音電流を機械的な振動に変換してコーン７２に伝達し、コーン７２が伝達された振動を中高音波として拡大して放出する。スピーカ配線７６にはコネクタ７７が設けられる。そして、コーン７２が前側に向けられ、タッピングスクリューなどの止ねじ７８がスピーカ２２の後からねじ挿入孔７５を経由してスピーカ取付部６８に締結されることによって、コーン７２が直接放音孔部１９を被覆し、スピーカ２２が前ユニット容器６５に固定される。間接放音孔部２７は、スピーカ２２で塞がれない。
【００２４】
表示灯基板２３には、ＬＥＤのような表示灯２８およびコネクタ７９が実装され、取付孔８０が前後方向への貫通孔として設けられる。コネクタ７９に接続されたコネクタ配線８１にはコネクタ８２が設けられる。そして、表示灯２８が前ユニット容器６５の側である前に向けられ、タッピングスクリューのような止ねじ８３が表示灯基板２３の前から取付孔８０を経由して基板取付部７１に締結されることによって、表示灯基板２３が後ユニット容器６６の前面に固定される。
【００２５】
前記のようにスピーカ２２が前ユニット容器６５に取り付けられ、表示灯基板２３が後ユニット容器６６に取り付けられ、スピーカ配線７６およびコネクタ配線８１が配線孔６９に通されつつ前ユニット容器６５の内側と外側とに配置された後、タッピングスクリューのような止ねじ８４が前ユニット容器６５の前から結合部６７を経由して結合部７０に締結されることによって、前ユニット容器６５および後ユニット容器６６が互いに内部空間としてのエンクロージャ２５（図１のｂ図参照）を形成しつつ当該エンクロージャ２５にスピーカ２２および表示灯基板２３を収容した構造に組み立てられる。このようにユニット容器２４が前ユニット容器６５と後ユニット容器６６とから構成され、スピーカ２２が前ユニット容器６５に取り付けられ、表示灯基板２３が後ユニット容器６６に取り付けられたので、スピーカ２２および表示灯基板２３が前ユニット容器６５または後ユニット容器６６のいずれかに集中的に取り付けられた場合に比べ、取付構造が簡単になるという利点がある。
【産業上の利用可能性】
【００２６】
図２において、音光ユニット１３および音光ユニット１４は、左右対称形に構成されたり、または、左右同じ形状に構成されたりしてもよい。放音孔部８；９、光表示部１０；１１、音光ユニット１３；１４は、上扉４の上下方向の中間部、上扉４の下部、下扉５に設けてもよい。放音孔部８；９、光表示部１０；１１、音光ユニット１３；１４は、１個ずつであってもよい。遊技機としては、スロットマシンでもよい。
【図面の簡単な説明】
【００２７】
【図１】遊技音響装置の縦断面図（最良の形態）。
【図２】遊技音響装置を備えパチンコ遊技機の正面図（最良の形態）。
【図３】上扉の分解斜視図（最良の形態）。
【図４】左の音光ユニットの分解斜視図（最良の形態）。
【図５】右の音光ユニットの分解斜視図（最良の形態）。
【符号の説明】
【００２８】
１は遊技機枠、２は固定枠、３は可動枠、４は上扉、５は下扉、６は発射機構、７は窓、８；９は放音孔部、１０；１１は光表示部、１２はパネル構造体、１３；１４は音光ユニット、１５はスピーカ、１６は表示灯基板、１７はユニット容器、１８はエンクロージャ、１９は直接放音孔部、２０は間接放音孔部、２１は表示灯、２２はスピーカ、２３は表示灯基板、２４はユニット容器、２５はエンクロージャ、２６は直接放音孔部、２７は間接放音孔部、２８は表示灯、２９は受皿、３０は発射操作機構、３１は扉化粧体、３２は扉基盤、３３は前窓部、３４は後窓部、３５乃至３７は取付部、３８は止ねじ、３９は取付部、４０は止ねじ、４１は取付部、４２は止ねじ、４３；４４は欠番、４５は前ユニット容器、４６は後ユニット容器、４７は結合部、４８はスピーカ取付部、４９は配線孔、５０は結合部、５１は基板取付部、５２はコーン、５３は音響変換部、５４はフランジ、５５はねじ挿入孔、５６はスピーカ配線、５７はコネクタ、５８は止ねじ、５９はコネクタ、６０は取付孔、６１はコネクタ配線、６２はコネクタ、６３；６４は止ねじ、６５は前ユニット容器、６６は後ユニット容器、６７は結合部、６８はスピーカ取付部、６９は配線孔、７０は結合部、７１は基板取付部、７２はコーン、７３は音響変換部、７４はフランジ、７５はねじ挿入孔、７６はスピーカ配線、７７はコネクタ、７８は止ねじ、７９はコネクタ、８０は取付孔、８１はコネクタ配線、８２はコネクタ、８３；８４は止ねじ、Ａは遊技盤、Ｂは盤設置構造体、Ｃは遊技領域、Ｄはガイドレール、Ｐは球。
【図１】
2008212514.tif 000003
【図２】
2008212514.tif 000004
【図３】
2008212514.tif 000005
【図４】
2008212514.tif 000006
【図５】
2008212514.tif 000007